(57)【要約】【課題】スプリンクラ等の消火用装置の誤作動又は破損等による水損事故の被害を低減し、且つ、放水遅れを招くことのない水道連結型消火設備を提供する。【解決手段】水道管３に接続され、火災時に開放する開閉弁２と、該開閉弁２の二次側に設けられる二次側配管４とを備え、前記二次側配管４が、消火用機器１３が接続された水平方向に設置される横配管１０と、該横配管１０と前記開閉弁２とを接続し、垂直方向に設置される縦配管１１とを有する消火設備において、前記縦配管１１と前記横配管１０とを接続する接続配管１２とを備え、該接続配管１２は前記横配管１０より高い位置１２ｃを通り前記縦配管１１と接続され、通常時は、前記縦配管１１には水が充水されず、前記横配管１０には水が充水される。【選択図】図１
2011152355.tif 000002
【特許請求の範囲】
【請求項１】
水道管に接続され、火災時に開放する開閉弁と、該開閉弁の二次側に設けられる二次側配管とを備え、前記二次側配管が、消火用機器が接続された水平方向に設置される横配管と、該横配管と前記開閉弁とを接続し、垂直方向に設置される縦配管とを有する消火設備において、
前記縦配管と前記横配管とを接続する接続配管を備え、
該接続配管は前記横配管より高い位置を通り前記縦配管と接続され、
通常時は、前記縦配管には水が充水されず、前記横配管には水が充水されていることを特徴とする消火設備。
【請求項２】
前記縦配管と前記接続配管とが接続される第１の接続部の位置が、前記横配管と前記接続配管とが接続される第２の接続部よりも高い位置に設けられることを特徴とする請求項１記載の消火設備。
【請求項３】
通常時には前記横配管を除く、前記二次側配管の水を排水し、火災時には該排水が停止する排水手段を、前記開閉弁又は前記開閉弁の二次側に備えたことを特徴とする請求項２記載の消火設備。
【請求項４】
前記接続配管がほぼＬ字状であることを特徴とする請求項２又は３記載の消火設備。
【請求項５】
前記横配管と前記消火用機器とが鳥居配管で接続されることを特徴とする請求項１乃至４何れか記載の消火設備。
【発明の詳細な説明】
【技術分野】
【０００１】
本発明は、消火設備に関し、詳細には、水道連結型スプリンクラ消火設備に関する。
【背景技術】
【０００２】
従来、消火設備として、水源として公設水道配水管からの水道水を使用したスプリンクラ消火設備がある。通常、このようなスプリンクラ消火設備は公設水道配水管から供給される水をスプリンクラへと供給するための二次側配管を備え、この二次側配管は公設水道配水管と生活用水を供給する水道管を介して接続されている。二次側配管の基端側と水道管との間には、この間を常時は閉止する電動弁が設けられている。そして、スプリンクラヘッドと同じ室内に設置された火災感知器からの火災信号を受けて電動弁を開放し、二次側配管内に水を充水させる。
このような水道連結型スプリンクラ消火設備には、当該消火設備が火災を感知後、スプリンクラヘッドから水が放水されるまでの時間の遅延（放水遅れ）を防止するため、予め二次側配管側を水で充水させている湿式の設備もある。
このような湿式のスプリンクラ消火設備では、火災感知器の誤作動によって電動弁が開放することにより、二次側配管内に充水された水と水道管内の生活用水とが混ざることを防止する必要がある。そのため、電動弁の二次側に逆止弁を設置し、逆止弁からスプリンクラヘッドまで水を充水しておき、そして、電動弁の二次側近傍に自動排水弁を設けて、電動弁から逆止弁までは、大気開放状態としておく消火設備もある（特許文献１を参照）。
【先行技術文献】
【特許文献】
【０００３】
【特許文献１】特開２００８−９３３１８号公報
【発明の概要】
【発明が解決しようとする課題】
【０００４】
前記のような水道連結型スプリンクラ消火設備は、通常時、電動弁の二次側は、自動排水弁と接続された排水管と接続されており大気開放状態であるため無圧状態であるが、逆止弁の二次側は圧力が抜けずスプリンクラヘッドには常に水圧が掛かっている状態となっている。そのためスプリンクラヘッドが破損等して誤作動した際、二次側配管（スプリンクラ配管）内に残存している圧縮空気分の水が放水され水損事故の被害が生じるおそれがある。しかしながら、二次側配管内に水が充水されていない設備（乾式設備）の場合、前記のような水損事故による被害は無くなるが、前記二次側配管内に全く水が充水されていないため、放水遅れを招く可能性があるという問題がある。
【０００５】
そこで、本発明は、スプリンクラ等の消火用装置の誤作動又は破損等による水損事故の被害を低減し、且つ、放水遅れを招くことのない水道連結型消火設備を提供することを目的とする。
【課題を解決するための手段】
【０００６】
本発明は、水道管に接続され、火災時に開放する開閉弁と、該開閉弁の二次側に設けられる二次側配管とを備え、前記二次側配管が、消火用機器が接続された水平方向に設置される横配管と、該横配管と前記開閉弁とを接続し、垂直方向に設置される縦配管とを有する消火設備において、前記縦配管と前記横配管とを接続する接続配管とを備え、該接続配管は前記横配管より高い位置を通り前記縦配管と接続され、通常時は、前記縦配管には水が充水されず、前記横配管には水が充水されていることを特徴とする消火設備である。
【０００７】
又、本発明は、前記縦配管と前記接続配管とが接続される第１の接続部の位置が、前記横配管と前記接続配管とが接続される第２の接続部よりも高い位置に設けられることを特徴とする消火設備である。
【０００８】
又、本発明は、通常時には前記横配管を除く、前記二次側配管の水を排水し、火災時には該排水が停止する排水手段を、前記開閉弁又は前記開閉弁の二次側に備えたことを特徴とする消火設備である。
【０００９】
又、本発明は、前記接続配管がほぼＬ字状であることを特徴とする消火設備である。
【００１０】
又、本発明は、前記横配管と前記消火用機器とが鳥居配管で接続されることを特徴とする消火設備である。
【発明の効果】
【００１１】
本発明では、開閉弁の二次側に設けられた二次側配管が、消火用機器が接続される横配管と、その横配管と開閉弁とに接続される縦配管と、それらを接続する接続配管とで構成され、接続配管は横配管より高い位置を通り、縦配管に接続されるため、逆止弁を用いずに、縦配管には水を充水させることなく、横配管に水を充水させることができる。これにより、二次側配管に充水される水の量を逆止弁が設置された場合と比較して少なくすることができ、さらにスプリンクラヘッドにかかる水圧が低くなるので、スプリンクラヘッド破損時の水の流出量を低減できる。また、乾式設備と比較して、前記横配管は充水されているため、放水遅れを生じることがない。
【００１２】
又、本発明では、接続配管と縦配管が接続される第１の接続部よりも接続配管と横配管が接続される第２接続部を高い位置に設けることにより、縦配管には水を充水させることなく、横配管に水を充水させることができる。
【００１３】
又、本発明では、通常時は横配管を除く、二次側配管の水を排水し、火災時にはその排水が停止する排水手段を開閉弁又はその二次側に設けたことにより、縦配管内の水だけを排水させることができる。
【００１４】
又、本発明では接続配管をＬ字状に設け、第２接続部を第１の接続部よりも低い位置に設けることにより横配管には水を充水し、且つ、横配管に充水されている水が横配管から縦配管へ逆流することを防止できる。
【００１５】
更に、横配管とスプリンクラヘッド等の消火用機器との間を鳥居配管とすることにより、横配管には水が充水されるが、この鳥居配管には水が充水されていないため、スプリンクラヘッド破損時には水が流出することを防止できる。
【図面の簡単な説明】
【００１６】
【図１】本発明の第１の実施の形態を示す消火設備のシステム図である。
【図２】本発明の第２の実施の形態を示す消火設備のシステム図である。
【図３】本発明の第３の実施の形態を示す消火設備のシステム図である。
【図４】図１乃至３における接続配管部分の拡大図である。
【発明を実施するための形態】
【００１７】
本発明の第１の実施の形態を図１及び図４により説明する。
【００１８】
本発明のスプリンクラ消火設備システムの給水源は公設水道配水管１である。本システムには火災時に開放する開閉弁２が設けられており、開閉弁２は、例えば、三方弁の電動弁から構成される。この開閉弁２を基準として、一次側には、一次側配管としての水道管３が接続され、二次側には、二次側配管４が接続される。
【００１９】
公設水道配水管１と開閉弁２との間に設けられる水道管３には、止水弁５、水道メータ６、制御弁７等が設けられる。制御弁７と水道メータ６との間からは、生活用配管８が分岐されて設けられ、図示されない一般給水器具が接続されている。
【００２０】
三方弁である開閉弁２は、通常時は水道管３と二次側配管４とを遮断し、且つ、二次側配管４と排水手段、例えば、排水配管９とを接続させるように弁体を切り換えるものである。そして火災時には、水道管３と二次側配管４とを接続させるように開放し、且つ、二次側配管４と排水配管９とを遮断するように弁体を切り換えるものである。
【００２１】
開閉弁２の二次側に設けられる二次側配管４は、消火用機器が接続され、水平方向に設置される横配管１０及び横配管１０と開閉弁２とを接続し、垂直方向に設置される縦配管１１で構成される。縦配管１１と横配管１０は接続配管１２により接続される。又、接続配管１２はその両末端に２つの接続部１２ａ及び１２ｂを有する。第１の接続部１２ａは、接続配管１２の一次側の末端であり、本実施の形態では、縦配管１１と直接接続される。第２の接続部１２ｂは、接続配管１２の二次側の末端であり、本実施の形態では、横配管１０と直接接続される。
【００２２】
本実施の形態では、消火用機器としては、例えば、コンシールドヘッド１３が使用される。コンシールドヘッド１３とは、スプリンクラヘッドを蓋で覆ったタイプのものであり、火災時の熱により蓋が落下する際に、近接スイッチなどで蓋の落下を検出できるようにしてある。つまり火災時に動作して放水するスプリンクラヘッド部１３ａと、蓋や近接スイッチから構成され、スプリンクラヘッド部１３ａが動作する前に作動して火災信号を制御盤１４に出力するコンシールド部１３ｂを有する。尚、本実施の形態では縦配管１１と開閉弁２との間には制御弁１５が設けられている。
【００２３】
本実施の形態において、接続配管１２は、例えば、水平部１２ｃ及び垂直部１２ｄを有するＬ字状に形成されたＬ型配管であって、水平部１２ｃが水平方向に延在し、且つ、その水平部１２ｃから垂直部１２ｄが垂下するように設けられる。
Ｌ型配管の水平部１２ｃの端部には第１の接続部１２ａが形成され、垂直部１２ｄの端部には第２の接続部１２ｂが形成される。
第１の接続部１２ａはＬ型配管の水平部１２ｃと縦配管１１との接続部であり、第２の接続部１２ｂはＬ型配管の垂直部１２ｄと横配管１０との接続部である。第１の接続部１２ａ、第２の接続部１２ｂは、エルボ１２ｅを介して、それぞれ縦配管１１と横配管１０とに接続される。Ｌ型配管の水平部１２ｃは、横配管１０より高い位置に設けられ、Ｌ型配管の垂直部１２ｄを介して横配管１０と接続される。このように、第１の接続部１２ａの位置は第２の接続部１２ｂの位置よりも垂直部１２ｄの長さ分だけ高い位置に設けられる。即ち、接続配管１２は、横配管１０より高い位置を通って、縦配管１１に接続される。尚、水平部１２ｃ、垂直部１２ｄの長さは、水平部１２ｃの方を長くしているが、垂直部１２ｄの方を長くしても良い。
【００２４】
次に本発明のスプリンクラ消火設備のシステム動作について説明する。先ず、火災時における作動を説明する前に、通常状態の監視時（通常時）における作用を説明する。尚、図中の配管等を灰色で塗りつぶした箇所は通常時において水が充水されている箇所である。
【００２５】
本発明の消火設備においては、横配管１０は、通常時では、水が充水された状態となっている。これに対して、縦配管１１は、通常時では、縦配管１１と接続された開閉弁２を介して排水配管９と接続されるため、排水されて空配管となる。又、縦配管１１と横配管１０は、前述の様に設けられた、Ｌ字状の接続配管１２を介して、第１の接続部１２ａと第２の接続部１２ｂとで接続される。このため、この横配管１０に接続される接続配管１２は、横配管１０よりも高い位置に設けられた水平部１２ｃを通って縦配管１１と接続されるため、横配管１０に充水された水が横配管１０から縦配管１１へ逆流することはない。又、仮に何かしらの要因で横配管１０から縦配管１１への逆流が起こったとしても、縦配管１１内に入った水は開閉弁２の一次側が閉止し、排水配管９側が開放しているため、そのまま排水配管９へと排出されることとなる。即ち、通常時は、当該消火設備の縦配管１１は水が充水されておらず、これに対して、横配管１０には水が充水されている状態となっている。このため、開閉弁二次側の直近に逆止弁を設けた従来の消火設備と比較して、二次側配管内に充水されている水の量が少なくなり、仮にコンシールドヘッド１３の破損等で二次側配管内に充水されている水がコンシールドヘッド１３から流出したとしても水損事故による被害を低減できる。
【００２６】
続いて、火災時における動作について説明する。先ず、コンシールドヘッド１３が設置された防護領域で、火災が発生すると、コンシールドヘッド１３のコンシールド部１３ａが火災の熱で外れることにより、火災を感知して、制御盤１４に火災信号を出力する。制御盤１４は、火災信号の入力を伴い、警報ブザー１６を鳴動させて、この消火設備が設置されている建物にいる者に火災発生を知らせる。尚、コンシールドヘッド１３を使用する代わりに、制御盤１４への火災信号の入力は、火災感知器又は自動火災報知設備等を設け、当該機器から行ってもよい。又、火災信号の入力により、制御盤１４は以降の処理を行う。
【００２７】
制御盤１４は、開閉弁２を切り換える信号を出力し、排水配管９側が閉止され、二次側配管４側と水道管３側とが接続されることにより、公設水道配水管１から水道管３を介して水が二次側配管４側へと供給される。ここで、コンシールドヘッド１３のスプリンクラヘッド部１３ａが火災時の熱によって開放されると、スプリンクラヘッド部１３ａから放水が開始され、火災は消火される。この際、二次側配管４の横配管１０内には通常時から、予め水が充水された状態にあるので、スプリンクラヘッドの開放と同時に放水され、放水遅れは生じることがない。
【００２８】
本発明の第２の実施の形態について図２により説明する。第１の実施の形態との相違は、三方弁の開閉弁２の変わりに二方弁の開閉弁１７を設け、その二次側に排水手段として自動排水弁１８を設けたことである。他の構成及びその効果は同一である。
【００２９】
二方弁である開閉弁１７は、例えば、三方弁の開閉弁２と同様の電動弁である。開閉弁１７は通常時は水道管３と二次側配管４とが接続しないように閉止し、火災時には、制御盤１４からの出力された信号により水道管３と二次側配管４とを接続するように開放し、公設水道配水管１から水道管３を介して二次側配管４へと水を供給する。
【００３０】
本実施の形態において、二次側配管４には分岐部４ａが設けられ、この分岐部４ａの一方は排水配管９に、他方は縦配管１１に接続されている。又、排水配管９の先端には自動排水弁１８が設けられている。
【００３１】
自動排水弁１８は、所定の水圧がかかると閉止する弁であり、通常時は、排水配管９側と外部とを接続する。このため、第１の実施の形態と同様に縦配管１１は、通常時は空配管となり、水が充水されないようになっている。従って、開閉弁１７に何かしらの異常が発生し、公設水道配水管１と二次側配管４が接続されたとしても、生活用配管８内の水に横配管１０内の水が混ざらないようになっている。又、火災時には、開閉弁１７が開放し、水道管３の水が二次側へと供給されると、その際に所定の水圧が掛かることで自動排水弁１８は閉止されるため、公設水道配水管１から供給された水を支障なく二次側配管４の横配管１０に供給できるようになっている。尚、このこと以外は、火災の消火は第１の実施の形態と同様のシステム動作により行われる。
【００３２】
尚、本実施の形態では自動排水弁１８を設けているが、自動排水弁１８を設ける代わりに、二次側配管４の分岐部４ａと排水配管９との間に開閉弁１７と同様の第２の開閉弁を設け、通常時は排水配管９と縦配管１１とを接続し、火災時には、制御盤１４からの信号により、この第２の開閉弁を閉止して排水配管９側を閉止するようにしてもよい。
【００３３】
本発明の第３の実施の形態について図３により説明する。第１の実施の形態との相違は横配管１０とコンシールドヘッド１３とを鳥居配管１９により接続したことであり、他の構成及びその効果並びに消火設備のシステム動作は各々同一である。
【００３４】
又、図３は鳥居配管１９を第１の実施の形態に適用した例示であるが、当然、第２の実施の形態に鳥居配管１９を適用することも可能である。
【００３５】
本実施の形態においてコンシールドヘッド１３が接続される横配管１０及びコンシールドヘッド１３との間は略７字状の鳥居配管１９が連接されている。即ち、横配管１０とコンシールドヘッド１３は、横配管１０よりも高い位置を経由する配管で接続されることとなる。又、二次側配管４は、通常時は排水配管９と接続されるため、大気開放された状態となっている。従って、通常時は、横配管１０に充水されている水は鳥居配管１９を経て、コンシールドヘッド１３へと自然には流通しないため、鳥居配管１９の大部分は空配管となっている。このため、例え、コンシールドヘッド１３が破損等したとしても、横配管１０内に充水された水は外へと漏れることがなく、乾式設備と同様に水損事故による被害を防ぐことができる。
【００３６】
又、鳥居配管１９を設ける副次的な効果として、当該消火設備を寒冷地に設置する場合、横配管１０とコンシールヘッド１３とを接続する管は一般的に細いため、冬場に凍結し、その凍結による水の膨張等によりコンシールドヘッド１３が破損する可能性があるが、鳥居配管１９を設けることにより、鳥居配管１９内は空配管となっているため上記のような横配管１０内に充水された水の凍結によるコンシールドヘッド１３の破損を未然に防ぐこともできる。
【００３７】
以上、本発明を第１乃至３の実施の形態に分けて説明してきたが、この様な消火設備は、例えば、グループホームなどに設置することができる。又、一戸建て及び集合住宅にも設置してもよい。上記実施の形態は本発明を実施するための基礎的なシステムを示したものであり、必要に応じて、消火設備や火災報知設備の変更等を適宜行うことができる。
【００３８】
尚、二次側配管４の形態は、横配管１０の中に充水された水が縦配管１１に逆流しなければよく、上記実施の形態に限定されるものではない。例えば、接続配管１２の形状は、横配管１０に接続される接続配管１２が、横配管１０より高い位置を通って縦配管１１と接続されていればよく、当該消火設備が設置される場所の条件に応じて、第１の接続部１２ａ及び第２の接続部１２ｂに高低差を設けず、接続配管１２の水平部１２ｃを横配管１０よりも高い位置に設け、そして、その両端から垂下する様に２つの垂直部１２ｄが設けられたコの字管を接続配管１２として設けたり水平部１２ｃと横配管１０との間を傾斜にしたりする等、適宜選択が可能であり、直管でなく少なくともその一部が横配管１０よりも高い位置に設けられる曲管で構成することもできる。又、接続配管１２と横配管１０及び縦配管１１とは、第１の接続部１２ａ及び第２の接続部１２ｂで直接的に接続されている必要はなく、間接的に接続されていてもよい。更に、横配管１０に傾斜を設けたり、Ｕ字状に形成したりする等して縦配管１１への横配管１０内に充水された水の逆流を防止してもよい。
【符号の説明】
【００３９】
１      公設水道配水管                ２      開閉弁      
３      水道管                        ４      二次側配管
４ａ    分岐部                        ５      止水弁
６      水道メータ                    ７      制御弁
８      生活用配管                    ９      排水配管
１０    横配管                        １１    縦配管
１２    接続配管                      １２ａ  第１の接続部
１２ｂ  第２の接続部                  １２ｃ  水平部
１２ｄ  垂直部                        １２ｅ  エルボ
１３    コンシールドヘッド            １３ａ  スプリンクラ部
１３ｂ  コンシールド部                １４    制御盤
１５    制御弁                        １６    警報ブザー
１７    開閉弁                        １８    自動排水弁
１９    鳥居配管
【図１】
2011152355.tif 000003
【図２】
2011152355.tif 000004
【図３】
2011152355.tif 000005
【図４】
2011152355.tif 000006